(57)【要約】【課題】平面形状が三角形状又は台形形状の太陽熱集熱パネルにおいて、屋根の傾斜方向と平行な方向に隣接する太陽熱集熱パネルと容易に接続可能なものを提供すること、太陽熱集熱パネルを設置する際の作業効率が向上するものを提供すること、等である。【解決手段】熱媒体が内部に流通する熱媒流通部６を備え、平面形状が直角の角部を有する三角形状又は台形形状に構成された太陽熱集熱パネル２において、熱媒流通部６を隣接する太陽熱集熱パネル２の熱媒流通部６に接続可能な第１，第２接続部８，９が、斜辺部の両端近傍部に設けられ、第１接続部８又は第２接続部９は、隣接する太陽熱集熱パネル２の第２接続部９又は第１接続部８に直接的に又は間接的に接続可能である。【選択図】図３
2015064151.tif 000002
【特許請求の範囲】
【請求項１】
熱媒体が内部に流通する熱媒流通部を備え、平面形状が直角の角部を有する三角形状又は台形形状に構成された太陽熱集熱パネルにおいて、
前記熱媒流通部を隣接する太陽熱集熱パネルの熱媒流通部に接続可能な第１，第２接続部が、斜辺部の両端近傍部に設けられていることを特徴とする太陽熱集熱パネル。
【請求項２】
前記第１接続部又は前記第２接続部は、前記隣接する太陽熱集熱パネルの第２接続部又は第１接続部に直接接続可能であることを特徴とする請求項１に記載の太陽熱集熱パネル。
【請求項３】
前記第１接続部が雌形に構成され、前記第２接続部が雄形に構成されていることを特徴とする請求項２に記載の太陽熱集熱パネル。
【発明の詳細な説明】
【技術分野】
【０００１】
本発明は太陽熱集熱パネルに関し、特に平面形状が直角の角度を有する三角形状又は台形形状に構成されたものに関する。
【背景技術】
【０００２】
従来から、太陽熱を集熱して給湯や暖房に利用する太陽熱集熱パネルが実用に供されている。この太陽熱集熱パネルは、一般的に、熱媒体が内部に流通する熱媒流通部が組み込まれた集熱パネルと、この集熱パネルの周囲に設けられて集熱パネルを支持する枠体とを有している。
【０００３】
また、太陽熱を利用するだけでなく、太陽光エネルギーを利用して電力を生成する太陽光発電パネルも実用に供されている。この太陽光発電パネルは、一般的に、太陽光を受光して直接的に電力に変換する発電パネルと、この発電パネルの周囲に設けられて発電パネルを支持する枠体とを有している。
【０００４】
ところで、上記の太陽光発電パネルと太陽熱集熱パネルとを併設する場合があるが、この場合、太陽光発電パネルと太陽熱集熱パネルとの外観の相違によって美観を損ねるという問題がある。つまり、太陽光発電パネルと太陽熱集熱パネルは、形状、サイズ等が必ずしも同様に設計されているとは限らないので、意匠的な問題で配置パターンが制限される。今日では、太陽光発電パネルが普及し、限られた屋根上のスペースを太陽光発電パネルが占有する事が多く、両パネルを併設する際に太陽熱集熱パネルを設置するスペースが限定されてしまう。
【０００５】
そこで、上記の問題を解決する手段として、特に三角屋根上に両パネルを併設する場合においては、屋根の中心部分に平面形状が正方形状又は長方形状の太陽光発電パネルを階段状に設置し、三角屋根上の斜辺部分であって屋根の稜線と太陽光発電パネルとの間に形成された階段状のスペースに平面形状が三角形状又は台形形状の太陽熱集熱パネルを設置することが考えられる。
【０００６】
上記の三角形状又は台形形状の太陽熱集熱パネルの構造として、例えば、特許文献１のような太陽熱集熱パネルが開示されている。即ち、この太陽熱集熱パネルは、平面形状が三角形状又は台形形状又は平行四辺形状に構成され、熱媒体を封入した中空部を内部に密閉状態で形成した集熱板と、この集熱板の中空部に挿通した１対のヘッダー配管とを備え、屋根の傾斜方向に対して直交する方向（横方向）にヘッダー配管の接続口が設けられている。
【先行技術文献】
【特許文献】
【０００７】
【特許文献１】特許第３８８１５７６号
【発明の概要】
【発明が解決しようとする課題】
【０００８】
しかし、上記のような特許文献１の太陽熱集熱パネルを三角屋根上の斜辺部分の階段状のスペースに設置すると、この太陽熱集熱パネルは、屋根の傾斜方向に対して直交する方向（横方向）に接続口が設けられている構造上、屋根の傾斜方向と平行な方向（縦方向）に隣接する太陽熱集熱パネルとの接続に専用の長い接続部材が必要となり、設置コストが増加する上、設置作業に手間がかかるという問題がある。従って、特許文献１の太陽熱集熱パネルは、三角屋根上の斜辺部分に対する設置には適してなく、三角屋根上の斜辺部分を有効に活用することができない。
【０００９】
尚、三角屋根上の中心部分に正方形状又は長方形状の太陽熱集熱パネルを設置し、斜辺部分に三角形状又は台形形状の太陽光発電パネルを設置することも考えられるが、太陽熱集熱パネルは、三角形状又は台形形状でも熱交換効率が４０％程度は確保できるのに対して、太陽光発電パネルは、一般的に内部に複数の正方形状セルを設置する構造上、発電パネル内の斜辺近傍に階段状のデッドスペースが生じて発電効率が１０％程度になるので、三角屋根上の斜辺部分に三角形状又は台形形状の太陽光発電パネルを採用するのは望ましくない。
【００１０】
本発明の目的は、平面形状が三角形状又は台形形状の太陽熱集熱パネルにおいて、屋根の傾斜方向と平行な方向に隣接する太陽熱集熱パネルと容易に接続可能なものを提供すること、太陽熱集熱パネルを設置する際の作業効率が向上するものを提供すること、等である。
【課題を解決するための手段】
【００１１】
請求項１の太陽熱集熱パネルは、熱媒体が内部に流通する熱媒流通部を備え、平面形状が直角の角部を有する三角形状又は台形形状に構成された太陽熱集熱パネルにおいて、前記熱媒流通部を隣接する太陽熱集熱パネルの熱媒流通部に接続可能な第１，第２接続部が、斜辺部の両端近傍部に設けられていることを特徴としている。
【００１２】
請求項２の太陽熱集熱パネルは、請求項１の発明において、前記第１接続部又は前記第２接続部は、前記隣接する太陽熱集熱パネルの第２接続部又は第１接続部に直接接続可能であることを特徴としている。
【００１３】
請求項３の太陽熱集熱パネルは、請求項２の発明において、前記第１接続部が雌形に構成され、前記第２接続部が雄形に構成されていることを特徴としている。
【発明の効果】
【００１４】
請求項１の発明によれば、三角屋根上に太陽光発電パネルと太陽熱集熱パネルとを併設する場合であって、太陽光発電パネルを三角屋根上の中心部分に階段状に設置し、太陽熱集熱パネルを三角屋根上の斜辺部分の階段状のスペースに設置する場合、太陽熱集熱パネルは、直角の角部が中心部分に設置された太陽光発電パネル側に向いた状態で且つ斜辺が三角屋根の稜線側に向いた状態で設置される。
【００１５】
従って、太陽熱集熱パネルは、熱媒流通部を隣接する太陽熱集熱パネルの熱媒流通部に接続可能な第１，第２接続部が、斜辺部の両端近傍部に設けられているので、第１接続部又は第２接続部が隣接する太陽熱集熱パネルの第２接続部又は第１接続部に近接した状態で設置され、太陽熱集熱パネルの熱媒流通部と隣接する太陽熱集熱パネルの熱媒流通部とを容易に接続することができ、太陽熱集熱パネルを設置する際の作業効率が向上する。
【００１６】
請求項２の発明によれば、第１接続部又は第２接続部は、隣接する太陽熱集熱パネルの第２接続部又は第１接続部に直接接続可能であるので、第１接続部と第２接続部とを接続する為の専用の接続部材を必要とせず、故に、設置コストを低減することができる上、意匠的価値を損なうことがない。
【００１７】
請求項３の発明によれば、第１接続部が雌形に構成され、第２接続部が雄形に構成されているので、簡単な構造で且つ簡単な作業でもって熱媒流通部を隣接する太陽熱集熱パネルの熱媒流通部に接続することができる。
【図面の簡単な説明】
【００１８】
【図１】実施例１に係る複数の長方形状の太陽光発電パネルと複数の台形形状の太陽熱集熱パネルの平面図である。
【図２】図１のａ部拡大平面図である。
【図３】太陽熱集熱パネルと接続前の隣接する太陽熱集熱パネルの平面図である。
【図４】第１変更例に係る太陽熱集熱パネルと接続前の隣接する太陽熱集熱パネルの平面図である。
【図５】第２変更例に係る太陽熱集熱パネルと接続前の隣接する太陽熱集熱パネルの平面図である。
【図６】実施例２に係る複数の長方形状の太陽光発電パネルの複数の三角形状の太陽熱集熱パネルの平面図である。
【図７】図６のｂ部拡大平面図である。
【図８】第３変更例に係る太陽熱集熱パネルと接続前の隣接する太陽熱集熱パネルの平面図である。
【発明を実施するための形態】
【００１９】
以下、本発明を実施するための形態について実施例に基づいて説明する。
【実施例１】
【００２０】
最初に、三角屋根上に太陽光発電パネル１と太陽熱集熱パネル２とが併設された全体構造について簡単に説明する。
図１に示すように、複数の太陽光発電パネル１と複数の太陽熱集熱パネル２が、三角屋根の傾斜した略台形形状の設置面Ｓ上に固定用架台（図示略）を介して設置されている。複数の太陽光発電パネル１と複数の太陽熱集熱パネル２は、横方向に並べた複数の（例えば上下２列の）パネル列を構成し、パネル列の各々は、固定用架台の２条の横ラックにより上下両端を支持する状態に配置される。
【００２１】
具体的に、２列のパネル列のうち下側のパネル列は、左方から右方に向けて台形状の太陽熱集熱パネル２Ａ、２つの長方形状の太陽光発電パネル１Ａ，１Ｂ、台形状の太陽熱集熱パネル２Ｂの順に配列されている。上側パネル列は、左方から右方に向けて台形状の太陽熱集熱パネル２Ｃ、長方形状の太陽光発電パネル１Ｃ、台形状の太陽熱集熱パネル２Ｄの順に配列されている。
【００２２】
次に、太陽光発電パネル１について説明する。
図１，図２に示すように、太陽光発電パネル１は、例えば、２．０ｍ×１．０ｍ程度のサイズの長方形状に構成され、太陽光を受光して発電を行う発電パネル１ａ、この発電パネル１ａの周囲に設けられて発電パネル１ａを支持する枠体１ｂ等を有している。
【００２３】
太陽光発電パネル１で発電された電力は、パネル裏面側から延びる電力線（図示略）を介して外部に出力可能である。尚、太陽光発電パネル１の形状は、長方形状に限らず正方形状のものであっても良い。太陽光発電パネル１の構造は、一般的な構造なのでこれ以上の詳細な説明は省略する。
【００２４】
次に、本発明に関連する太陽熱集熱パネル２について説明する。
図１，図２に示すように、太陽熱集熱パネル２は、上記のように、左斜辺を有する台形状の太陽熱集熱パネル２Ａ，２Ｃ、右斜辺を有する台形状の太陽熱集熱パネル２Ｂ，２Ｄ等の左右対称の形状に構成されたものがあるが、これらはパネル形状が異なる以外は、その主要部分はほぼ同じ構成であるので、以下の説明では太陽熱集熱パネル２の主要部分についてのみ説明する。
【００２５】
図１〜図３に示すように、太陽熱集熱パネル２は、平面形状が直角の角部を有する台形形状に構成され、太陽熱を利用して熱媒体を加熱する平板状の集熱パネル４と、この集熱パネル４の周囲に設けられて集熱パネル４を支持する枠体５等を有している。
【００２６】
図３に示すように、集熱パネル４は、熱媒体が内部に流通する熱媒流通部６が組み込まれている。熱媒流通部６は、上下両側に設けられた２本のヘッダー配管６ａ，６ｂと、これらヘッダー配管６ａ，６ｂの間を接続し且つ並列状態に設置された複数の集熱配管６ｃ等からはしご状の熱媒流路に構成されている。尚、集熱パネル４の構造は、一般的な構造なので、これ以上の詳細な説明は省略する。
【００２７】
次に、第１，第２接続部８，９について説明する。
図１〜図３に示すように、太陽熱集熱パネル２の斜辺部の両端近傍部には、内部の熱媒流通部６を隣接する太陽熱集熱パネル２の熱媒流通部６と接続可能な第１，第２接続部８，９が設けられている。第１接続部８は、集熱パネル４内の熱媒体の取出し口であり、熱媒流通部６の一端部に設けられ、第２接続部９は、集熱パネル４内への熱媒体の取入れ口であり、熱媒流通部６の他端部に設けられている。
【００２８】
第１接続部８は、太陽熱集熱パネル２の斜辺部の上端角部の近傍部であって上辺部に上方凸状に設けられている。第１接続部８は、雌形に構成されている。即ち、第１接続部８は、熱媒流通部６の一端部に固着された雌形継手部材１１により構成され、内部配管６ｄを介して上側ヘッダー配管６ａに接続されている。
【００２９】
第２接続部９は、太陽熱集熱パネル２の斜辺部の下端角部の近傍部であって下辺部に下方凸状に設けられている。第２接続部９は、雄形に構成されている。即ち、第２接続部９は、熱媒流通部６の他端部に固着された雄形継手部材１２により構成され、内部配管６ｅを介して下側ヘッダー配管６ｂに接続されている。雄形継手部材１２の外周部には、Ｏリング１２ａが装着されている。
【００３０】
次に、第１，第２接続部８，９の接続構造について説明する。
図２，図３に示すように、第１接続部８と第２接続部９は、直接接続可能に構成されている。即ち、太陽熱集熱パネル２の第１接続部８又は第２接続部９は、隣接する太陽熱集熱パネル２の第２接続部９又は第１接続部８と嵌合動作により接続可能である。
【００３１】
ここで、例えば、三角屋根の傾斜方向と平行な方向に隣接する太陽熱集熱パネル２Ｂ，２Ｄ同士を接続する場合、図３に示すように、上側の太陽熱集熱パネル２Ｄを移動させて、第２接続部９を下側の太陽熱集熱パネル２Ｂの第１接続部８に嵌合して接続する。即ち、第１，第２接続部８，９は、三角屋根の傾斜方向と平行な方向への相対移動により接続される。尚、上述では、第１接続部８が雌形に構成され、第２接続部９が雄形に構成されているが、これとは逆に、第１接続部８が雄形に構成され、第２接続部９が雌形に構成されても良い。
【００３２】
次に、熱媒流通部６を流れる熱媒体の循環系路について説明する。
図１に示すように、例えば、建物の軒下等の地上に設置された貯湯槽（図示略）内の熱交換器から熱媒配管７ａが延び、最下段の太陽熱集熱パネル２Ａ，２Ｂの第２接続部９に夫々接続され、最上段の太陽熱集熱パネル２Ｃ，２Ｄの第１接続部８から熱媒配管７ｂが夫々延びて、貯湯槽内の熱交換器に接続され、これら太陽熱集熱パネル２Ａ〜２Ｄと貯湯槽との間に不凍液等の熱媒体を循環可能に構成されている。
【００３３】
循環ポンプ（図示略）の駆動を介して、貯湯槽の内部の熱交換器から熱媒体が熱媒配管７ａを通り、太陽熱集熱パネル２Ａ〜２Ｄの熱媒流通部６に送られて太陽熱により加熱され、この加熱された熱媒体は熱媒配管７ｂを通り、貯湯槽の熱交換器に送られて、貯湯槽内の湯水との間で熱交換が行われ湯水が加熱される。貯湯槽内の高温の湯水は、家庭内の種々の機器に供給される。
【００３４】
次に、本発明の太陽熱集熱パネル２の作用及び効果について説明する。
先ず、固定用架台を設置面Ｓに配設し、図１に示すように、下側のパネル列を構成する複数の太陽光発電パネル１Ａ，１Ｂを固定用架台の２条の横ラックの間に上下両端を支持する状態に配置して固定金具により横ラックに固定し、次に、太陽光発電パネル１Ａ，１Ｂの両側において、複数の太陽熱集熱パネル２Ａ，２Ｂを固定用架台の２条の横ラックの間に上下両端を支持する状態に配置して固定金具により横ラックに固定する。
【００３５】
次に、図１に示すように、上側のパネル列を構成する太陽光発電パネル１Ｃを、固定用架台の２条の横ラックの間に上下両端を支持する状態に配置して横ラックに固定する。次に、太陽光発電パネル１Ｃの両側において、複数の太陽熱集熱パネル２Ｃ，２Ｄを固定用架台の２条の横ラックの間に配置するが、このとき、図３に示すように、太陽熱集熱パネル２Ｃ，２Ｄの第２接続部９を、先に設置した下側の太陽熱集熱パネル２Ａ，２Ｂの第１接続部８に対して、僅かな距離を空けて配置する。つまり、太陽熱集熱パネル２Ｃ，２Ｄを正規の取り付け位置からズレた位置に配置する。
【００３６】
次に、ズレた位置に配置された太陽熱集熱パネル２Ｃ，２Ｄを、先に取り付けられた太陽熱集熱パネル２Ａ，２Ｂの方向に移動すると、図２に示すように、太陽熱集熱パネル２Ｃ，２Ｄの第２接続部９が太陽熱集熱パネル２Ａ，２Ｂの第１接続部８に嵌合されて夫々接続される。そして、太陽熱集熱パネル２Ｃ，２Ｄを横ラックに固定する。
【００３７】
以上説明したように、三角屋根上に太陽光発電パネル１と太陽熱集熱パネル２とを併設する場合であって、太陽光発電パネル１（１Ａ〜１Ｃ）を三角屋根上の中心部分に階段状に設置し、太陽熱集熱パネル２（２Ａ〜２Ｄ）を三角屋根上の斜辺部分の階段状のスペースに設置する場合、太陽熱集熱パネル２は、直角の角部が中心部分に設置された太陽光発電パネル１側に向いた状態で且つ斜辺が三角屋根の稜線側に向いた状態で設置される。つまり、太陽熱集熱パネル２Ａと太陽熱集熱パネル２Ｃは、各斜辺部が直線状になるように設置され、太陽熱集熱パネル２Ｂと太陽熱集熱パネル２Ｄも同様に、各斜辺部が直線状になるように設置される。
【００３８】
従って、太陽熱集熱パネル２（２Ａ，２Ｂ）は、熱媒流通部６を隣接する太陽熱集熱パネル２の熱媒流通部６に接続可能な第１，第２接続部８，９が、斜辺部の両端近傍部に設けられているので、第１接続部８が隣接する太陽熱集熱パネル２（２Ｃ，２Ｄ）の第２接続部９に近接した状態で設置され、太陽熱集熱パネル２（２Ａ，２Ｂ）の熱媒流通部６と隣接する太陽熱集熱パネル２（２Ｃ，２Ｄ）の熱媒流通部６とを容易に接続することができ、太陽熱集熱パネル２を設置する際の作業効率が向上する。
【００３９】
また、第１接続部８又は第２接続部９は、隣接する太陽熱集熱パネル２の第２接続部９又は第１接続部８に直接接続可能であるので、第１接続部８と第２接続部９とを接続する為の専用の接続部材を必要とせず、故に、設置コストを低減することができる上、意匠的価値を損なうことがない。
【００４０】
さらに、第１接続部８が雌形に構成され、第２接続部９が雄形に構成されているので、簡単な構造で且つ簡単な作業でもって熱媒流通部６を隣接する太陽熱集熱パネル２の熱媒流通部６に接続することができる。
【００４１】
次に、前記実施例１を部分的に変更した第１，第２変更例について説明する。
（１）第１変更例
図４に示すように、第１接続部８Ａを、雌形継手部材１１に代えて集熱パネル４内の内部配管６ｆで構成しても良い。この内部配管６ｆは、第２接続部９を構成する雄形形成部材１２が直接接続可能に構成されている。この構造によれば、屋根の傾斜方向と平行な方向に隣接する太陽熱集熱パネル２同士を接続した際に隙間が生じないので、外観性が向上する。尚、図４とは逆に、第１接続部８Ａが雄形形成部材で構成され、第２接続部９が内部配管で構成されても良い。
【００４２】
（２）第２変更例
図５に示すように、第１接続部８Ｂを、雌形継手部材１１に代えて集熱パネル４内の内部配管６ｆで構成し、第２接続部９Ｂを、雄形継手部材１２に代えて集熱パネル４内の内部配管６ｇで構成し、両端部が雄形に構成され且つ内部配管６ｆ，６ｇに夫々挿入可能な継手部材１５を介して、太陽熱集熱パネル２同士の熱媒流通部６を接続する構成であっても良い。
【実施例２】
【００４３】
前記実施例１の太陽熱集熱パネル２を部分的に変更した実施例２に係る太陽熱集熱パネル２０について説明する。尚、実施例２の太陽熱集熱パネル２０は、平面形状が略直角三角形状に構成されている。
【００４４】
図６に示すように、太陽熱集熱パネル２０は、左斜辺を有する三角形状の太陽熱集熱パネル２０Ａ，２０Ｃ、右斜辺を有する三角形状の太陽熱集熱パネル２０Ｂ，２０Ｄ等の左右対称の形状に構成されたものがあるが、これらはパネル形状が異なる以外は、その主要部分はほぼ同じ構成であるので、以下の説明では太陽熱集熱パネル２０の主要部分についてのみ説明する。
【００４５】
図６，図７に示すように、太陽熱集熱パネル２０は、平面形状が略直角三角形状に構成され、太陽熱を利用して熱媒体を加熱する平板状の集熱パネル２４と、この集熱パネル２４の周囲に設けられて集熱パネル２４を支持する枠体２５等を有している。
【００４６】
集熱パネル２４は、熱媒体が内部に流通する熱媒流通部２６が組み込まれている。熱媒流通部２６は、上下両側に設けられた２本のヘッダー配管２６ａ，２６ｂと、これらヘッダー配管２６ａ，２６ｂの間を接続し且つ並列状態に設置された複数の集熱配管２６ｃ等からはしご状の熱媒流路に構成されている。尚、集熱パネル２４の構造は、一般的な構造なので、これ以上の詳細な説明は省略する。
【００４７】
次に、第１，第２接続部２８，２９について説明する。
図６，図７に示すように、太陽熱集熱パネル２０の斜辺部の両端近傍部には、内部の熱媒流通部２６を隣接する太陽熱集熱パネル２０の熱媒流通部２６と接続可能な第１，第２接続部２８，２９が設けられている。第１接続部２８は、熱媒流通部６の一端部に設けられ、第２接続部２９は、熱媒流通部２６の他端部に設けられている。
【００４８】
第１接続部２８は、太陽熱集熱パネル２０の斜辺部の上端角部の近傍部に上方凸状に設けられている。即ち、第１接続部２８は、熱媒流通部２６の一端部に固着された継手部材３１により構成され、内部配管２６ｅを介して上側ヘッダー配管２６ａに接続されている。
【００４９】
第２接続部２９は、太陽熱集熱パネル２０の斜辺部の下端角部の近傍部に外方凸状に設けられている。即ち、第２接続部２９は、熱媒流通部２６の他端部に固着された継手部材３２により構成され、下側ヘッダー配管２６ｂに直接接続されている。
【００５０】
図６，図７に示すように、太陽熱集熱パネル２０Ａ，２０Ｂの第１接続部２８は、隣接する太陽熱集熱パネル２０Ｃ，２０Ｄの第２接続部２９とゴム製接続部材３５により接続される。このように、第１接続部２８と第２接続部２９とが近接した状態で配置されるので、太陽熱集熱パネル２０Ａ，２０Ｂの熱媒流通部２６と隣接する太陽熱集熱パネル２０Ｃ，２０Ｄの熱媒流通部２６とを短いゴム製接続部材３５を介して容易に接続することができ、作業効率が向上する。
【００５１】
尚、太陽熱集熱パネル２０が、平面形状が二等辺三角形状に構成されている場合、第１接続部２８と第２接続部２９の向きを変更するだけで、三角屋根上の左側斜辺部分への設置にも右側斜辺部分への設置にも対応することができる。
【００５２】
次に、前記実施例２を部分的に変更した第３変更例について説明する。
図８に示すように、第１接続部２８及び第２接続部２９を平面視にて９０度程度回転可能な継手部材３６，３７で夫々構成しても良い。この構造によれば、三角屋根の傾斜方向と平行な方向に隣接する太陽熱集熱パネル２０だけでなく、傾斜方向と直交する方向に隣接する太陽熱集熱パネル２０や斜め方向に隣接する太陽熱集熱パネル２０との接続も容易に行うことができる。
【００５３】
次に、前記実施例１，２を部分的に変更した形態について説明する。
［１］前記実施例１，２において、三角屋根上の中心部分に太陽光発電パネル１、三角屋根上の斜辺部分に太陽熱集熱パネル２を設置する構造であれば、太陽光発電パネル１及び太陽熱集熱パネル２の配置、枚数は適宜変更可能である。
【００５４】
例えば、パネル列を３列にする場合であって太陽熱集熱パネル２Ａ、２Ｂ（又は太陽熱集熱パネル２０Ａ、２０Ｂ）を含むパネル列の下方にパネル列が追加される場合、太陽熱集熱パネル２Ａ、２Ｂ（２０Ａ、２０Ｂ）の下方に太陽熱集熱パネル２（２０）が設置されると、太陽熱集熱パネル２Ａ、２Ｂ（２０Ａ、２０Ｂ）の第２接続部９（２９）が、下方に隣接する太陽熱集熱パネル２（２０）の第１接続部８（２８）に近接した状態で設置されるので、太陽熱集熱パネル２Ａ，２Ｂ（２０Ａ、２０Ｂ）の熱媒流通部６（２６）と下方に隣接する太陽熱集熱パネル２（２０）の熱媒流通部６（２６）とを容易に接続することができる。
【００５５】
［２］その他、当業者であれば、本発明の趣旨を逸脱することなく、前記実施例に種々の変更を付加した形態で実施可能であり、本発明はそのような変更形態を包含するものである。
【符号の説明】
【００５６】
２，２０      太陽熱集熱パネル
６，２６      熱媒流通部
８，８Ａ，８Ｂ，２８，２８Ａ    第１接続部
９，９Ｂ，２９，２９Ａ          第２接続部
【図１】
2015064151.tif 000003
【図２】
2015064151.tif 000004
【図３】
2015064151.tif 000005
【図４】
2015064151.tif 000006
【図５】
2015064151.tif 000007
【図６】
2015064151.tif 000008
【図７】
2015064151.tif 000009
【図８】
2015064151.tif 000010